【手続補正書】
【提出日】平成25年9月24日(2013.9.24)
【手続補正１】
【補正対象書類名】特許請求の範囲
【補正対象項目名】全文
【補正方法】変更
【補正の内容】
【特許請求の範囲】
【請求項１】
連続相と不連続相をを含有する水性エマルションであって、ここで前記不連続相が水もしくは、
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）、ならびに
（ｉｉｉ）（Ｉ）および（ＩＩ）と共重合可能な架橋剤（ＩＩＩ）
の反応産物を含有するネットワーク共重合体組成物を含有し、
そして、前記ネットワーク共重合体組成物が前記水性エマルションの不連続相にあるとき、水は前記エマルションの連続層にあり、そして、前記ネットワーク共重合体組成物が前記非水性エマルションの連続層にあるとき、非水性ヒドロキシル有機溶媒は前記エマルションの前記不連続相にあるという条件である、水性エマルション。
【請求項２】
前記ネットワーク組成物がモノマーの全重量に基づいて約４０から約９９の前記少なくとも一つのアニオン性の重合可能なエチレン性不飽和モノマー（Ｉ）、モノマーの全重量に基づいて約０．５から約５０重量パーセントの前記追加のモノマー、そして、モノマーの全重量に基づいて約０．１から約１０重量パーセントの前記架橋剤を含有する、請求項１に記載の水性エマルション組成物。
【請求項３】
ａ、ｂ、ｃ、ｄ、ａ’、ｂ’、ｃ’、およびｄ’がそれぞれ独立して０から約５０である、請求項１に記載の水性エマルション。
【請求項４】
ａ、ｂ、ｃ、ｄ、ａ’、ｂ’、ｃ’、およびｄ’がそれぞれ独立して０から約１５である、請求項３に記載の水性エマルション。
【請求項５】
ｐが約２もしくは約３であり、そして前記組成物が架橋剤（ＩＩＩ）をまったく含まない、請求項１に記載の水性エマルション。
【請求項６】
前記モノマー（Ｉ）がＣＨ２＝Ｃ（ＣＨ３）Ｃ（Ｏ）Ｏ（Ｃ３Ｈ６Ｏ）６Ｐ（Ｏ）（ＯＨ）（ＯＮａ）、ＣＨ２＝Ｃ（ＣＨ３）Ｃ（Ｏ）Ｏ（Ｃ３Ｈ６Ｏ）６Ｐ（Ｏ）（ＯＨ）２、ＣＨ２＝ＣＨＣ（Ｏ）Ｏ（Ｃ３Ｈ６Ｏ）６Ｐ（Ｏ）（ＯＨ）（ＯＨ）２およびＣＨ２＝Ｃ（ＣＨ３）Ｃ（Ｏ）Ｏ（Ｃ２Ｈ４Ｏ）ｎＰ（Ｏ）（ＯＨ）２からなる群より選択され、前記追加のモノマー（ＩＩ）が、ＣＨ２＝ＣＨＣ（Ｏ）ＯＨおよびＣＨ２＝Ｃ（ＣＨ３）Ｃ（Ｏ）Ｏ（Ｃ３Ｈ６Ｏ６）６Ｈからなる群より選択され、そして、前記架橋剤（ＩＩＩ）がＣＨ２＝ＣＨＣ（Ｏ）Ｏ（Ｃ２Ｈ４Ｏ）ｎＣ（Ｏ）ＯＣＨ＝ＣＨ２、［ＣＨ２＝Ｃ（ＣＨ３）ＣＯ２ＣＨ２］３ＣＣ２Ｈ５および［ＣＨ２＝Ｃ（ＣＨ３）Ｃ（Ｏ）Ｏ（Ｃ３Ｈ６Ｏ）６］２Ｐ（Ｏ）（ＯＨ）からなる群より選択される、請求項１に記載の水性エマルション。
【請求項７】
連続相と不連続相をを含有する非水性エマルションであって、ここで前記不連続相が非水性ヒドロキシル有機溶媒もしくは、
ｉ）［ＣＨ２＝Ｃ（Ｒ３）Ｃ（Ｏ）ＯＸａ（Ｃ２Ｈ４Ｏ）ｂ（Ｃ３Ｈ６Ｏ）ｃ（Ｃ４Ｈ８Ｏ）ｄ］ｐＰ（Ｏ）（ＯＹ）ｑ（ＯＺ）ｒ
〔式中、Ｒ３はＨもしくは１から約６個の炭素原子のアルキルであり、Ｘは０から約９個の炭素原子のアルキル、アリール、もしくはアルカリルのジラジカル連結基であり、
ａは０から約１００、１から約１００、好ましくは０から約４０、そしてより好ましくは０から約１５であり、
ｂは０から約１００、１から約１００、好ましくは０から約４０、そしてより好ましくは０から約１５であり、
ｃは０から約１００、１から約１００、好ましくは０から約４０、そしてより好ましくは０から約１５であり、
ｄは０から約１００、１から約１００、好ましくは０から約４０、そしてより好ましくは０から約１５であり、
ｑは０から約２であり、
ｒは０から約２であり、
ｐは１から約３であり、但しｐ＋ｑ＋ｒ＝３という制限があり、
そしてＹおよびＺはＨもしくは金属イオンである〕
ならびに
ＣＨ２＝Ｃ（Ｒ３）Ｃ（Ｏ）ＯＸａ’（Ｃ２Ｈ４Ｏ）ｂ’（Ｃ３Ｈ６Ｏ）ｃ’（Ｃ４Ｈ８Ｏ）ｄ’−ＳＯ３−Ｙ
〔式中、Ｒ３はＨもしくは１から６個までの炭素原子のアルカリであり、Ｘは０から約９個の炭素原子のアルキル、アリールもしくはアルカリルのジラジカル連結基であり、
ａ’は０から約１００、１から約１００、好ましくは０から約４０、そしてより好ましくは０から約１５であり、
ｂ’は０から約１００、１から約１００、好ましくは０から約４０、そしてより好ましくは０から約１５であり、
ｃ’は０から約１００、１から約１００、好ましくは０から約４０、そしてより好ましくは０から約１５であり、
ｄ’は０から約１００、１から約１００、好ましくは０から約４０、そしてより好ましくは０から約１５であり、
ＹはＨもしくは金属イオンである〕
からなる群より選択される少なくとも一つのアニオン性の重合可能なエチレン不飽和モノマー（Ｉ）、
（ｉｉ）アクリル酸／アクリラート、メタクリル酸／メタクリラート、アクリルアミド、ビニルアセタートおよびスチレンからなる群より選択される、（Ｉ）と共重合可能である一つもしくはそれ以上の追加のモノマー（ＩＩ）、ならびに
（ｉｉｉ）（Ｉ）および（ＩＩ）と共重合可能な架橋剤（ＩＩＩ）
の反応産物を含有するネットワーク共重合体組成物を含有し、
そして、前記ネットワーク共重合体組成物が前記非水性エマルションの不連続相にあるとき、非水性ヒドロキシル有機溶媒は前記エマルションの連続層にあり、そして、前記ネットワーク共重合体組成物が前記非水性エマルションの連続層にあるとき、非水性ヒドロキシル有機溶媒は前記エマルションの前記不連続相にあるという条件である、水性エマルション。
【請求項８】
前記ネットワーク組成物がモノマーの全重量に基づいて約４０から約９９の前記少なくとも一つのアニオン性の重合可能なエチレン性不飽和モノマー（Ｉ）、モノマーの全重量に基づいて約０．５から約５０重量パーセントの前記追加のモノマー、そして、モノマーの全重量に基づいて約０．１から約１０重量パーセントの前記架橋剤を含有する、請求項７に記載の水性エマルション組成物。
【請求項９】
ａ、ｂ、ｃ、ｄ、ａ’、ｂ’、ｃ’、およびｄ’がそれぞれ独立して０から約５０である、請求項７に記載の水性エマルション。
【請求項１０】
ａ、ｂ、ｃ、ｄ、ａ’、ｂ’、ｃ’、およびｄ’がそれぞれ独立して０から約１５である、請求項８に記載の水性エマルション。
【請求項１１】
ｐが約２もしくは約３であり、そして前記組成物が架橋剤（ＩＩＩ）をまったく含まない、請求項７に記載の水性エマルション。
【請求項１２】
請求項１〜１１のいずれか１項に記載の水性エマルション組成物を含有する解乳化剤組成物。
【請求項１３】
追加のシリコーンおよび有機解乳化剤からなる群より選択される少なくとも一つの他の成分をさらに含有する請求項１２に記載の解乳化剤。
【請求項１４】
エマルションを分離させるための方法であって：
（ｉ）解乳化に効果的な量の請求項１２に記載の解乳化剤組成物をエマルションへと混合するステップ；
（ｉｉ）エマルションを少なくとも２つの相に分離させるようにするステップ；
（ｉｉｉ）前記二つの相をお互いに分離させるステップ
を含有する方法。
【請求項１５】
エマルションが原油を含有している、請求項１４に記載の方法。